(57)【要約】【課題】  表裏間の連通に起因する音響振動の漏れや外部の塵埃等の進入の問題を簡明な構成で解決すること。【解決手段】  ハウジング１の正面にのみ開口する二つの取付空間１ａ２、１ｂ２にコンタクト部材２ａ、２ｂのコンタクト部２ａ１、２ｂ１を組み込み、ハウジング１の正面及び基板に接合する一側にのみ開口する延長空間１ａ３、１ｂ３にコンタクト部材２ａ、２ｂのターミナル部２ａ２、２ｂ２を組み込む。更に取付空間１ａ２、１ｂ２上の嵌合空間１ａ１、１ｂ１に台座部３ａ、３ａを嵌合させてブッシュ部材３、３を取り付け、ブッシュ部材本体３ｃ、３ｃにキャップ部４ｃ、４ｃを外装しつつ、ハウジング１の正面にアース金具４を取り付ける。アース金具４のターミナル部４ａは、コンタクト部材２ａのターミナル部２ａ２を配した延長空間１ａ３の開口部付近に、深さ位置を変えて配置する。【選択図】  図２
2008176958.tif 000002
【特許請求の範囲】
【請求項１】
正面及び四側部中の組込対象機器の基板に当接することとなる側部の各々にのみ開口する空間を備えたハウジングと、
該ハウジングの正面側から装入してコンタクト部を該空間内に配し、ターミナル部を前記組込対象機器の基板に当接することとなる側部の開口から突出させるコンタクト部材と、
該コンタクト部材を該空間に取り付けた後に前記ハウジングの正面側に取り付けるブッシュ部材であって、その取付位置を、プラグ挿入孔が該空間に連通し、かつ正面から該プラグ挿入孔に挿入したプラグのピン部が該コンタクト部材のコンタクト部に接触し得るように位置決めしたブッシュ部材と、
該ブッシュ部材にキャップ部を外装しつつ該ハウジングの正面に配し、アース端子を前記組込対象機器の基板に当接することとなる側部の開口から突出させるアース金具と、
で構成したピンジャック。
【請求項２】
前記コンタクト部材を、フォーク状のコンタクト部と、その基部から該コンタクト部と直交する方向に延長し、該コンタクト部を前記ハウジングの前記空間に配した場合に、その底部に沿って前記組込対象機器の基板に当接することとなる側部の開口に延長状態となり、かつ該開口から突出することとなるターミナル部とで構成し、
前記ブッシュ部材を、軸心に沿ってプラグ挿入孔を備えた円筒状のブッシュ部材本体と、該ブッシュ部材本体の裏面側から突出させた抑え脚であって、該ブッシュ部材本体を前記ハウジングの正面側に取り付けた場合に、前記空間に配した前記コンタクト部から延長するターミナル部を、その先端で、該空間の底部に押し付け固定し得るように構成した抑え脚とで構成し、
前記アース金具を、前記ハウジングの正面側に配した前記ブッシュ部材本体に外装するキャップ部と、該ハウジングの正面側に当接状態に配するカバー部と、該カバー部の二箇所以上に構成した爪片であって、該ハウジングに形成した係止溝に挿入係止し得る爪片と、該カバー部から、前記組込対象機器の基板に当接することとなる側部の開口に突出させるべく延長したターミナル部とで構成した請求項１のピンジャック。
【発明の詳細な説明】
【技術分野】
【０００１】
本発明は、オーディオ機器の音声信号その他の種々の信号の伝達や各種電気乃至電子機器への電源供給路の接続のためにこれと対になるピンプラグと共に用いられるピンジャックに関する。
【背景技術】
【０００２】
この種のピンジャックは、円筒状のブッシュ部を突出させたハウジングと、該ハウジング中に後部から装入されたコンタクト部材と、前記ブッシュ部も含めて前記ハウジングの正面側に外装したアース金具とからなり、該アース金具及び前記コンタクト部材から各々延長するターミナル部は、接続対象との関係で、該ハウジングの後方又は側方に突出するように構成されている。前記コンタクト部材は、そのコンタクト部が、前記ブッシュ部のプラグ挿入孔から挿入されたプラグのピン部に接触するように位置決めされているのは云うまでもない。
【０００３】
このようなピンジャックは、コンタクト部材をハウジングにその後部から装入して取り付けるものであるため、ハウジングの後部が開口しており、通常、ブッシュ部のプラグ挿入孔の開口部から後部の開口部までが連通状態となっている。そのため、この種のピンジャックを、例えば、音響機器のスピーカボックスに配された音声信号の授受用の接続手段として使用する場合等には、スピーカから放射される音響振動が該ピンジャックを通じて漏れるような問題を生じる。またいずれの機器に使用する場合であれ、外部の塵埃が機器内部に進入する虞が生じる。
【０００４】
例えば、特許文献１、２、３、４のピンジャックは、概ね以上のような構成であり、前記のようなスピーカボックスに配して音声信号の授受に使用するような場合には、前記のような音響振動の漏れの問題があり、そのような用法でない場合であっても、塵埃の進入が極度に問題となるような機器に使用する場合には不都合である。
【０００５】
そこで以上のようなハウジングの後部の開口部を閉じるために、開口部にボンド等を塗布するとか、ピンジャック自体を何らかのケースで被覆してしまうというような手段が知られているが、これでは機器に取り付ける際に組立工数を増加させたり、部品点数を増加させるという問題がある。
【０００６】
そこで予めハウジング後部に生じている開口部をカバー部材で閉じておくということが考えられる。特許文献５のピンジャックは、以上のような目的で構成されたものではないが、本体部（ハウジング）と、その裏面側に配するカバー部とからなる構成が提案されている。カバー部が本体部と薄肉状のヒンジ部を介して一体成形されたタイプ及び各々個別に成形され、後に組み合わされるタイプのものが提案されている。これによれば、前記ピンジャックの表裏が連通することにより生じる問題は解決されるが、いずれにしても形状が複雑で大型であるカバー部のような部品が増加する難点がある。
【０００７】
【特許文献１】特開平０７−１３５０５２号公報
【特許文献２】特開平０７−０３７６４９号公報
【特許文献３】特開平０５−３２６０７７号公報
【特許文献４】特開２００４−２８１２４２号公報
【特許文献５】特開平０８−３３５４８４号公報
【発明の開示】
【発明が解決しようとする課題】
【０００８】
本発明は、以上の従来技術の問題点を解決し、後に行われる機器への組み込み工程での組立工数を増加させたり、部品点数を増加させたり、更には、複雑な部品の成形等を必要としない、簡明な構成でありつつ、その表裏間の連通に起因する、音響振動の漏れや外部の塵埃等の進入の問題を解決することのできるピンジャックを提供することを解決の課題とする。
【課題を解決するための手段】
【０００９】
本発明の１は、正面及び四側部中の組込対象機器の基板に当接することとなる側部の各々にのみ開口する空間を備えたハウジングと、該ハウジングの正面側から装入してコンタクト部を該空間内に配し、ターミナル部を前記組込対象機器の基板に当接することとなる側部の開口から突出させるコンタクト部材と、該コンタクト部材を該空間に取り付けた後に前記ハウジングの正面側に取り付けるブッシュ部材であって、その取付位置を、プラグ挿入孔が該空間に連通し、かつ正面から該プラグ挿入孔に挿入したプラグのピン部が該コンタクト部材のコンタクト部に接触し得るように位置決めしたブッシュ部材と、該ブッシュ部材にキャップ部を外装しつつ該ハウジングの正面に配し、アース端子を前記組込対象機器の基板に当接することとなる側部の開口から突出させるアース金具と、で構成したピンジャックである。
【００１０】
本発明の２は、本発明の１のピンジャックに於いて、前記コンタクト部材を、フォーク状のコンタクト部と、その基部から該コンタクト部と直交する方向に延長し、該コンタクト部を前記ハウジングの前記空間に配した場合に、その底部に沿って前記組込対象機器の基板に当接することとなる側部の開口に延長状態となり、かつ該開口から突出することとなるターミナル部とで構成し、前記ブッシュ部材を、軸心に沿ってプラグ挿入孔を備えた円筒状のブッシュ部材本体と、該ブッシュ部材本体の裏面側から突出させた抑え脚であって、該ブッシュ部材本体を前記ハウジングの正面側に取り付けた場合に、前記空間に配した前記コンタクト部から延長するターミナル部を、その先端で、該空間の底部に押し付け固定し得るように構成した抑え脚とで構成し、前記アース金具を、前記ハウジングの正面側に配した前記ブッシュ部材本体に外装するキャップ部と、該ハウジングの正面側に当接状態に配するカバー部と、該カバー部の二箇所以上に構成した爪片であって、該ハウジングに形成した係止溝に挿入係止し得る爪片と、該カバー部から、前記組込対象機器の基板に当接することとなる側部の開口に突出させるべく延長したターミナル部とで構成したものである。
【発明の効果】
【００１１】
本発明の１のピンジャックによれば、ブッシュ部材をハウジングとは別個に構成し、コンタクト部材を正面側からハウジング内に取り付けた後に、該ブシュ部材を該ハウジングの正面に取り付けるようにしたものであるため、ハウジングの後部を閉じた構成にすることが可能となる。それ故に、ハウジングの後部が開口していることに起因する音漏れや塵埃の進入の問題を確実に解決することができることになる。即ち、ハウジングにコンタクト部材の取付のための後部開口が不要になり、そのため、ブッシュ部材のプラグ挿入孔と該後部開口とが連通することで生じるピンジャック表裏間の音漏れ、空気の流通、これに起因する塵埃の機器中への進入等の問題が無くなるものである。
【００１２】
本発明の２のピンジャックによれば、後部を閉じたハウジングによる簡単に組立可能なピンジャックを容易に構成することができる。
【発明を実施するための最良の形態】
【００１３】
発明を実施する最良の形態を以下に示す一実施例に基づいて説明する。
【００１４】
この実施例のピンジャックは、図１及び図２に示すように、その一対を一組として構成したものであり、基本的に、ハウジング１と、これに組み込まれる二つのコンタクト部材２ａ、２ｂ、ブッシュ部材３、３及び一つのアース金具４とで構成したものである。
【００１５】
前記ハウジング１は、図１〜図４に示すように、耐熱性かつ絶縁性の樹脂で成形した概ね直方体状をなす部材であり、その正面及び一側部に開口した二つの空間１ａ、１ｂを備えたものである。該空間１ａ、１ｂは、それぞれ一つのピンジャックを構成するための要素であり、各々コンタクト部材２ａ又は２ｂ及びブッシュ部材３の取付用として、並びに接続対象であるプラグのピン部を挿入する挿入孔の先端部を構成する役割を担当する。なお、この実施例では、前記ハウジング１の一側部は、組込対象機器の基板に接合状態に取り付ける取付面となる側部であり、ハウジング１の長さ方向の一端部となる側部である。
【００１６】
該空間１ａ、１ｂは、図２(a)、(c)、図３(a)及び図４(a)に示すように、ハウジング１の長さ方向に沿って並べて構成したものである。
該空間１ａ、１ｂのハウジング１の正面側に開口する部位は、同図に示すように、前記ブッシュ部材３、３の台座部３ａを嵌め込むための浅い嵌合空間１ａ１、１ｂ１と、該各嵌合空間１ａ１、１ｂ１の中心に形成した、前記コンタクト部材２ａ、２ｂのコンタクト部２ａ１、２ｂ１を取り付ける取付空間１ａ２、１ｂ２と、該取付空間１ａ２、１ｂ２から前記一側部に連通開口する、前記コンタクト部材２ａ、２ｂのターミナル部２ａ２、２ｂ２を配する延長空間１ａ３、１ｂ３とで構成したものである。
【００１７】
前記嵌合空間１ａ１、１ｂ１は、図３(a)に示すように、平面から見てほぼ正方形に形成した凹部空間であり、図７(a)、(e)に示すように、平面又は底面から見て概ね正方形であるブッシュ部材３、３の台座部３ａを嵌合し得るように構成してある。その深さも、図２(a)、(b)、(c)及び図４(a)、(b)に示すように、該台座部３ａ、３ａの厚みに対応する寸法に構成してある。
【００１８】
前記取付空間１ａ２、１ｂ２は、この実施例では、図３(a)に示すように、それぞれ平面から見て、一方がハウジング１の長さ方向に沿って延び、他方がこれと交差する概ね十字状の溝空間に構成し、前記一側部から遠い方の取付空間１ａ２には、該ハウジング１の長さ方向に沿った溝空間の、同図中右側に沿った部位に、更に長さ方向に延長して、コンタクト部材２ａのコンタクト部２ａ１を構成する一対のフォーク片の各々を嵌合する取付溝１ａ２１、１ａ２１を形成する。なお、この取付溝１ａ２１、１ａ２１は、それらの間の中心がハウジング１に取り付けられるブッシュ部材３のプラグ挿入孔３ｃ１の中心軸と一致するように位置決めする。更に該取付溝１ａ２１、１ａ２１は、上記一対のフォーク片がプラグのピン部の挿入によって拡開する際に、それを許容できるように、上部側がその拡開方向に拡大した状態に構成する。また該取付空間１ａ２のハウジング１の長さ方向に交差する側の溝空間の両端側は、各々前記ブッシュ部材３の抑え脚３ｂ、３ｂを進入嵌合させる押圧空間１ａ２２、１ａ２２ともなる。
【００１９】
前記一側部に近い方の取付空間１ｂ２には、該ハウジング１の長さ方向に沿った溝空間の、図３(a)中左側に沿った部位に、更に長さ方向に延長して、コンタクト部材２ｂのコンタクト部２ｂ１を構成する一対のフォーク片の各々を嵌合する取付溝１ｂ２１、１ｂ２１を形成する。なお、この取付溝１ｂ２１、１ｂ２１も、それらの間の中心がハウジング１に取り付けられるブッシュ部材３のプラグ挿入孔３ｃ１の中心軸と一致するように位置決めする。
【００２０】
以上から分かるように、前記一側部に遠い方の取付空間１ａ２と近い方の取付空間１ｂ２とは、その十字状の溝空間の内、該ハウジング１の長さ方向に沿った溝空間の位置が異なる。前者の取付空間１ａ２のハウジング１の長さ方向に沿った溝空間は、中心位置である取付溝１ａ２１、１ａ２１の左側（図３(a)中）に位置し、後者の取付空間１ｂ２のハウジング１の長さ方向に沿った溝空間は、中心位置である取付溝１ｂ２１、１ｂ２１の右側（図３(a)中）に位置するようになっている。
【００２１】
また前記取付溝１ｂ２１、１ｂ２１は、上記一対のフォーク片がプラグのピン部の挿入によって拡開する際に、それを許容できるように、上部側がその拡開方向に拡大した状態に構成するものとする。
更に又該取付空間１ｂ２のハウジング１の長さ方向に交差する側の溝空間の両端側は、各々前記ブッシュ部材３の抑え脚３ｂ、３ｂを進入嵌合させる押圧空間１ｂ２２、１ｂ２２ともなるものである。
【００２２】
前記取付空間１ａ２、１ｂ２、取付溝１ａ２１、１ｂ２１及び押圧空間１ａ２２、１ｂ２２の深さは、図２(a)、(b)に示すように、前記コンタクト部材２ａ、２ｂのコンタクト部２ａ１、２ｂ１の基部からこれを構成するフォーク片の先端までの高さに一致させる。
【００２３】
前記二つの延長空間１ａ３、１ｂ３の内、前者は、前記ハウジング１の一側部から遠い方の嵌合空間１ａ２から延長し、後者は、近い方の取付空間１ｂ２から延長したものである。前者の延長空間１ａ３は、図３(a)に示すように、前記取付空間１ａ２の、ハウジング１の長さ方向と交差する側の溝空間の、同図中右側の端部から更に僅かに右側に延長した上で、これと直交する方向に向け、前記一側部に向かって延長したものである。なおこの延長空間１ａ３は、途中で前記取付空間１ｂ２の、ハウジング１の長さ方向と交差する側の溝空間の右端側を交差して通過する状態となる。また後者の延長空間１ｂ３は、これも図３(a)に示すように、前記取付空間１ｂ２の、ハウジング１の長さ方向と交差する側の溝空間の、同図中左側の端部から更に僅かに左側に延長した上で、これと直交する方向を向け、前記一側部に向かって延長したものである。
【００２４】
該延長空間１ａ３、１ｂ３は、いずれもその深さは、図２(b)、(c)、図３(d)及び図４(b)に示すように、前記取付空間１ａ２、１ｂ２、取付溝１ａ２１、１ｂ２１、押圧空間１ａ２２、１ｂ２２と同一とし、かついずれも先に述べたように、前記一側部に開口するものとする。また該延長空間１ａ３、１ｂ３は、いずれもそのどの部位でもハウジング１の正面側にも開口したものとする。
【００２５】
なお、該延長空間１ａ３、１ｂ３の内、前者は、前記したように、該コンタクト部材２ａのターミナル部２ａ２を配することを目的とするものであるが、図２(c)に示すように、これは、その底部側に配するものとし、後述するように、この延長空間１ａ３の開口部付近を前記アース金具４のターミナル部４ａの突出口と兼ねさせ、このターミナル部４ａは、該延長空間１ａ３の深さ方向途中から突出させるものとする。
また前記コンタクト部材２ａ、２ｂのコンタクト部２ａ１、２ｂ１を取り付ける取付空間１ａ２、１ｂ２は、その中心の深さ方向途中までをプラグのピン部を挿入する挿入空間と兼ねるものとする。
【００２６】
前記ハウジング１の正面側には、図２(a)、図３(a)及び図４(a)に示すように、その長さ方向の両端付近に、その正面側に配するアース金具４の二つの爪片４ｂ、４ｂを係止する係止溝１ｃ、１ｃを形成したものとする。またハウジング１の長さ方向の一方の側部には、図１(a)、図３(a)及び図４(c)に示すように、ボルトをねじ込み、上記アース金具４と共に、該ハウジング１を対象の機器類のケース等に固定するためのネジ下孔１ｄを開口したものとする。
【００２７】
前記コンタクト部材２ａ、２ｂの内、前者は、前記ハウジング１の前記一側部から遠い方の取付空間１ａ２に取り付けるそれであり、特に図５(a)〜(d)に示すように、一対のフォーク片からなるコンタクト部２ａ１と、その基部からこれと直交する一方、即ち、該コンタクト部２ａ１のフォーク片の先端側から見た場合に、左側に折り曲げた二つの支持片２ａ１１、２ａ１１と、その基部から該支持片２ａ１１、２ａ１１と逆方向に折り曲げ、途中から該コンタクト部２ａ１のフォーク片の並びと平行に延長するターミナル部２ａ２とで構成したものである。該コンタクト部材２ａは導電性の金属、この実施例では、黄銅によって全体を一体に構成したものである。
【００２８】
前記コンタクト部２ａ１は、これを構成する一対のフォーク片の先端が内側に膨らみ、その間に進入するプラグのピン部によって拡開されつつこれと電気的に接続し得るように構成してある。これらのフォーク片の各々の途中から基部までには側方に膨らむ補強突条２ａ１ａが構成してあり、また各基部側の背部には、基部側から前記取付溝１ａ２１に装入した場合に抜け戻りを阻止する小三角形の返り突起２ａ１ｂが構成してある。なお、該コンタクト部２ａ１を構成するフォーク片の高さは、前記したところから理解されるように、該取付溝１ａ２１の深さと一致させてある。
【００２９】
前記ターミナル部２ａ２は、図５(a)〜(d)に示すように、取付状態で前記ハウジング１の延長空間１ａ３内に位置する部分は該延長空間１ａ３の幅に一致させ、前記ハウジング１の一側部から外部に突出する部分は、それより細幅に構成したものである。またこの幅広の部分の大部分には補強突条２ａ２ａが形成してある。
【００３０】
前記コンタクト部材２ａ、２ｂの内、後者は、前記ハウジング１の前記一側部に近い方の取付空間１ｂ２に取り付けるそれであり、特に図６(a)〜(d)に示すように、一対のフォーク片からなるコンタクト部２ｂ１と、その基部からこれと直交する一方、即ち、該コンタクト部２ｂ１のフォーク片の先端側から見た場合に、右側に折り曲げた二つの支持片２ｂ１１、２ｂ１１と、その基部から該支持片２ｂ１１、２ｂ１１と逆方向に折り曲げ、途中から該コンタクト部２ｂ１のフォーク片の並びと平行に延長するターミナル部２ｂ２とで構成したものである。該コンタクト部材２ｂは導電性の金属、この実施例では、黄銅によって全体を一体に構成したものである。
【００３１】
前記コンタクト部２ｂ１は、前記コンタクト部２ａ１と同様に、これを構成する一対のフォーク片の先端が内側に膨らみ、これらのフォーク片の各々には補強突条２ｂ１ａが構成してあり、また各基部側の背部には、基部側から前記取付溝１ｂ２１に装入した場合に抜け戻りを阻止する返り突起２ｂ１ｂが構成してある。なお、該コンタクト部２ａ１を構成するフォーク片の高さは、該取付溝１ｂ２１の深さと一致させてある。
【００３２】
前記ターミナル部２ｂ２は、図６(a)〜(d)に示すように、取付状態で前記ハウジング１の延長空間１ｂ３内に位置する部分は該延長空間１ｂ３の幅に一致させ、前記ハウジング１の一側部から外部に突出する部分は、それより細幅に構成したものである。
【００３３】
前記ブッシュ部材３は、図７(a)〜(e)に示すように、軸心に沿ってプラグ挿入孔３ｃ１を開口した概ね円筒状のブッシュ部材本体３ｃと、該ブッシュ部材本体３ｃの基部に構成した、平面から見て概ね正方形の台座部３ａと、その裏面側から突出させた一対の抑え脚３ｂ、３ｂとで構成したものである。
【００３４】
前記ブッシュ部材本体３ｃは、前記し、図７(a)〜(d)に示すように、概ね円筒状であるが、上端周囲には面取りを施してあり、周囲には、高さ方向に沿って３本の突条３ｃ２、３ｃ２、３ｃ２を膨出させてある。この突条３ｃ２、３ｃ２、３ｃ２は、アース金具４のキャップ部４ｃを該ブッシュ部材本体３ｃに外装した場合にその外装状態を緩みなくする趣旨のものである。
【００３５】
前記台座部３ａは、図７(a)、(e)に示すように、平面又は底面から見てほぼ正方形の板状の構成要素であり、その対角線上にある一対の角部が角状に切り欠かれている。この台座部３ａの厚み及び平面寸法は、先に述べたところから理解されるように、ハウジング１の嵌合空間１ａ１、１ｂ１に一致させてある。
【００３６】
前記抑え脚３ｂ、３ｂは、図７(b)〜(e)に示すように、相互に前記プラグ挿入孔３ｃ１を挟んで１８０度の角度間隔で配した断面正方形の棒状部材であり、その長さは、前記取付空間１ａ２、１ｂ２の深さから前記コンタクト部材２ａ、２ｂのターミナル部２ａ２、２ｂ２の厚み分だけ減算した寸法としたものである。従ってこのブッシュ部材３の台座部３ａを前記嵌合空間１ａ１、１ｂ１に嵌合配置すると、該抑え脚３ｂ、３ｂは前記押圧空間１ａ２２、１ｂ２２に装入状態となり、図２(c)、(d)に示すように、その下端で予め配してあるコンタクト部材２ａ、２ｂのターミナル部２ａ２、２ｂ２の対応部位を押圧固定することになる。
【００３７】
前記アース金具４は、図８(a)〜(e)に示すように、前記ハウジング１の正面側に配した前記ブッシュ部材本体３ｃに外装する二つのキャップ部４ｃ、４ｃと、これらを繋ぎつつ該ハウジング１の正面側に当接状態に配するほぼ長方形のカバー部４ｄと、該カバー部４ｄの二つの短辺に形成した爪片４ｂ、４ｂと、該カバー部４ｄの一方の短辺から延長したターミナル部４ａと、該カバー部４ｄの一方の長辺を半円形に膨出させ、その膨出した部位に前記ハウジング１のネジ下孔１ｄに対応させて開口したボルト孔４ｅとで構成したものである。なお、このアース金具４は、導電性の金属、この実施例では、黄銅を採用して全体を一体に構成したものである。
【００３８】
前記二つのキャップ部４ｃ、４ｃは、図２(a)、(c)及び図８(a)、(d)、(e)に示すように、前記カバー部４ｄに、前記ハウジング１へのブッシュ部材本体３ｃ、３ｃの配置に対応させて位置決めし、かつその内径、内部高さ及び上部形状も該ブッシュ部材本体３ｃ、３ｃの外径、高さ及び上部形状に対応させたものとする。なお、該キャップ部４ｃ、４ｃは、云うまでもなく、その上部中央にプラグのピン部の径を十分に越える内径の円孔４ｆが開口させてある。
【００３９】
前記爪片４ｂ、４ｂは、図８(a)〜(e)に示すように、前記カバー部４ｄの両短辺の中心に、裏面側に直角に折り曲げて構成し、前記ハウジング１の両短辺寄りの中央に形成してある各係止溝１ｃ、１ｃに挿入可能に位置決めする。各爪片４ｄ、４ｄは、特に図８(b)、(c)に示すように、その両側部に、これを該係止溝１ｃに挿入した場合に抜け戻りを阻止する返り突起４ｂ１、４ｂ１を構成しておくものとする。
【００４０】
また前記アース金具４のターミナル部４ａは、図１(c)、図２(c)及び図８(a)〜(e)に示すように、ハウジング１にアース金具４を取り付けた場合に、そのカバー部４ｄの、ハウジング１の前記一側部側に対応することとなる短辺に構成し、かつハウジング１に形成された前記延長空間１ａ３の末端が開口する部位で、該カバー部４ｄから該延長空間１ａ３内に垂下するように直角に折り曲げ、該延長空間１ａ３の高さ方向途中の位置で直角に方向を変え、外方に向かって延長する構成としたものである。
【００４１】
従ってこの実施例のピンジャックの組立では、まず初めにハウジング１の正面側からコンタクト部材２ａ、２ｂを、それぞれ該当する取付空間１ａ２、１ｂ２及び延長空間１ａ３、１ｂ３に装着する。コンタクト部材２ａ、２ｂの取付順序は自由である。
【００４２】
コンタクト部材２ａは、コンタクト部２ａ１をその基部側からハウジング１の取付空間１ａ２の取付溝１ａ２１に装入する。同時に、そのターミナル部２ａ２を該取付空間１ａ２からハウジング１の一側部に延長する延長空間１ａ３に装入する。図２(a)〜(d)には、ハウジング１へのコンタクト部材２ａの装入状態が示されている。
【００４３】
コンタクト部材２ｂも、コンタクト部材１ａと同様に、コンタクト部２ｂ１をその基部側からハウジング１の取付空間１ｂ２の取付溝１ｂ２１に装入する。同時に、そのターミナル部２ｂ２を該取付空間１ｂ２からハウジング１の一側部に延長する延長空間１ｂ３に装入する。図２(a)〜(d)には、同様に、ハウジング１へのコンタクト部材２ｂの装入状態も示されている。
【００４４】
次いでブッシュ部材３、３をハウジング１に取り付ける。この取り付けは、それぞれ取付空間１ａ２、１ｂ２に対応する嵌合空間１ａ１、１ｂ１にその台座部３ａ、３ａを嵌合配置させることで行う。このように、ブッシュ部材３、３の台座部３ａ、３ａを嵌合空間１ａ１、１ｂ１に嵌合させると、該台座部３ａ、３ａの裏面から垂下する抑え脚３ｂ、３ｂが前記各取付空間１ａ２、１ｂ２中の押圧空間１ａ２２、１ａ２２、１ｂ２２、１ｂ２２中に進入し、それらの各下端で既に配置してあるコンタクト部材２ａ、２ｂのターミナル部２ａ２、２ｂ２の基部付近の対応部位を押圧固定することになる。図２(a)〜(d)には、またこの状態も示されている。
【００４５】
この後、ハウジング１の正面側及びハウジング１から突出するブッシュ部材本体３ｃ、３ｃにアース金具４を被覆状態に取り付ける。
アース金具４は、ハウジング１の正面にその裏面側を向け、かつハウジング１の長さ方向に沿った向きにその長さ方向の向きを一致させた上で、キャップ部４ｃ、４ｃを該ハウジング１から突出するブッシュ部材本体３ｃ、３ｃに外装する。同時にそのカバー部４ｄの両短辺に位置する爪片４ｂ、４ｂをハウジング１の両短辺に位置する係止溝１ｃ、１ｃに装入する。更に同時にカバー部４ｄの、ハウジング１の一側側に対応する短辺に位置するターミナル部４ａを、該ハウジング１の延長空間１ａ３の開口部付近に装入する。
【００４６】
該アース金具４は、その爪片４ｂ、４ｂがハウジング１の係止溝１ｃ、１ｃに装入状態になると、該爪片４ｂ、４ｂの両側の返り突起４ｂ１、４ｂ１が該係止溝１ｃ、１ｃの両側に係止状態となり、ハウジング１の正面に確実に固定されることになる。これによって、ブッシュ部材本体３ｃ、３ｃはハウジング１に確実に固定される。前記コンタクト部材２ａ、２ｂは、そのコンタクト部２ａ１、２ｂ１を構成する一対のフォーク片の各背後側に形成してある返り突起２ａ１ｂ、２ａ１ｂ、２ｂ１ｂ、２ｂ１ｂが取付溝１ａ２１、１ａ２１、１ｂ２１、１ｂ２１の側部に係止状態になることで固定され、更にそのターミナル部２ａ２、２ｂ２の基部付近がブッシュ部材３、３の抑え脚３ｂ、３ｂで押圧固定されることで一層確実に所定位置に固定されることになる。
【００４７】
以上のように、この実施例のピンジャックは、簡単な構成で組立が容易である。
またこの実施例のピンジャックは、ハウジング１の背後側には開口部がなく、かつ延長空間１ａ３、１ｂ３の、ハウジング１の一側部への開口部は、その部位が、機器類に取り付ける場合に基板に接合固定されることになる。そのためこの実施例のピンジャックでは、正面側のプラグ挿入孔３ｃ１がハウジング１の背後側と連通することは全くない。それ故、ハウジング１の後部が開口していることに起因する外部への音漏れや、内外の空気の流通、並びに塵埃の進入の問題を確実に解決することができる。
【図面の簡単な説明】
【００４８】
【図１】(a)は実施例のピンジャックの正面図、(b)は平面図、(c)は底面図、(d)は左側面図、(e)は右側面図。
【図２】(a)は図１(a)のＡ−Ａ線断面図、(b)は図１(a)のＢ−Ｂ線断面図、(c)は図１(a)のＣ−Ｃ線断面図、(d)は図１(e)のＤ−Ｄ線断面図。
【図３】(a)は実施例のハウジングの正面図、(b)は背面図、(c)は平面図、(d)は底面図、(e)は左側面図、(f)は右側面図。
【図４】(a)は図３(a)のＥ−Ｅ線断面図、(b)は図３(a)のＦ−Ｆ線断面図、(c)は図３(a)のＧ−Ｇ線断面図、(d)はハウジングの斜視図。
【図５】(a)実施例の一方のコンタクト部材の拡大側面図、(b)は(a)を右側から見た図、(c)は(a)を下方から見た図、(d)は(a)のコンタクト部材の斜視図。
【図６】(a)実施例の他方のコンタクト部材の拡大側面図、(b)は(a)を右側から見た図、(c)は(a)を下方から見た図、(d)は(a)のコンタクト部材の斜視図。
【図７】(a)は実施例のブッシュ部材の拡大正面図、(b)は拡大右側面図、(c)は拡大底面図、(d)は(a)のＨ−Ｈ線断面図、(e)は拡大背面図。
【図８】(a)は実施例のアース金具の拡大正面図、(b)は拡大平面図、(c)は拡大底面図、(d)は拡大左側面図、(e)は一部切欠拡大右側面図。
【符号の説明】
【００４９】
１    ハウジング
１ａ、１ｂ  空間
１ａ１、１ｂ１  嵌合空間
１ａ２、１ｂ２  取付空間
１ａ３、１ｂ３  延長空間
１ａ２１、１ｂ２１  取付溝
１ａ２２、１ｂ２２  押圧空間
１ｃ  係止溝
１ｄ  ネジ下孔
２ａ、２ｂ  コンタクト部材
２ａ１、２ｂ１  コンタクト部
２ａ１ａ、２ｂ１ａ  コンタクト部の補強突条
２ａ１ｂ、２ｂ１ｂ  返り突起
２ａ１１、２ｂ１１  支持片
２ａ２、２ｂ２  コンタクト部材のターミナル部
２ａ２ａ  ターミナル部の補強突条
３    ブッシュ部材
３ａ  台座部
３ｂ  抑え脚
３ｃ  ブッシュ部材本体
３ｃ１  プラグ挿入孔
３ｃ２  突条
４    アース金具
４ａ  アース金具のターミナル部
４ｂ  爪片
４ｂ１  返り突起
４ｃ  キャップ部
４ｄ  カバー部
４ｅ  ボルト孔
４ｆ  円孔
【図１】
2008176958.tif 000003
【図２】
2008176958.tif 000004
【図３】
2008176958.tif 000005
【図４】
2008176958.tif 000006
【図５】
2008176958.tif 000007
【図６】
2008176958.tif 000008
【図７】
2008176958.tif 000009
【図８】
2008176958.tif 000010